(57)【特許請求の範囲】
【請求項１】
現在検出された少なくとも一つの基地局の信号強度の中から、信号強度が最大の第１基地局を特定するステップと、
前記第１基地局により送信される前記第１基地局のアクセスパラメータのパラメータ値が付加されたシステムメッセージを受信するステップと、
前記アクセスパラメータのパラメータ値が予め設定した安全な基地局のアクセスパラメータ値の条件を満たすと、前記第１基地局にアクセスし、前記アクセスパラメータのパラメータ値が前記アクセスパラメータ値の条件を満たさないと、現在の基地局のアクセスを維持するステップと、
前記アクセスパラメータのパラメータ値と予め保存した安全な基地局のアクセスパラメータ基準値との間のマッチング度に基づいて、前記第１基地局に対応する安全係数を特定して、前記安全係数が所定の閾値未満であると、前記第１基地局にアクセスし、前記安全係数が前記所定の閾値未満でないと、現在の基地局のアクセスを維持するステップ
を含むことを特徴とする基地局アクセス方法。
【請求項２】
前記アクセスパラメータのパラメータ値と予め保存した安全な基地局のアクセスパラメータ基準値との間のマッチング度に基づいて、前記第１基地局に対応する安全係数を特定するステップは、
予め保存した安全な基地局の各アクセスパラメータのアクセスパラメータ基準値を取得するステップと、
前記システムメッセージ内に付加された各アクセスパラメータのパラメータ値と該当するアクセスパラメータ基準値との間のマッチング度をそれぞれ特定するステップと、
予め保存したマッチング度と安全係数の調整値との間の対応関係、及び、前記各アクセスパラメータのパラメータ値と該当するアクセスパラメータ基準値との間のマッチング度に基づいて、前記各アクセスパラメータに対応する安全係数の調整値をそれぞれ特定するステップと、
予め保存した安全係数の初期値と各アクセスパラメータに対応する安全係数の調整値との合計値を特定することにより、前記第１基地局に対応する安全係数を得るステップと
を含むことを特徴とする請求項１に記載の基地局アクセス方法。
【請求項３】
現在検出された少なくとも一つの基地局の信号強度の中から、信号強度が最大の第１基地局を特定するステップは、
現在検出された予め保存した使用禁止基地局リスト以外の少なくとも一つの基地局の信号強度の中から、信号強度が最大の第１基地局を特定するステップ
を含み、
前記アクセスパラメータのパラメータ値が前記アクセスパラメータ値の条件を満たさないと、前記第１基地局を使用禁止基地局リスト中に追加するステップ
をさらに含むことを特徴とする請求項１に記載の基地局アクセス方法。
【請求項４】
前記アクセスパラメータは、最小アクセスレベル、再選択オフセット情報、更新期間、ＧＰＲＳサポート状況、及び、ＬＡＣ識別子の中の少なくとも一つ以上を含む
ことを特徴とする請求項１に記載の基地局アクセス方法。
【請求項５】
現在検出された少なくとも一つの基地局の信号強度の中から、信号強度が最大の第１基地局を特定する特定モジュールと、
前記第１基地局により送信される前記第１基地局のアクセスパラメータのパラメータ値が付加されたシステムメッセージを受信する受信モジュールと、
前記アクセスパラメータのパラメータ値が予め設定した安全な基地局のアクセスパラメータ値の条件を満たすと、前記第１基地局にアクセスし、前記アクセスパラメータのパラメータ値が前記アクセスパラメータ値の条件を満たさないと、現在の基地局のアクセスを維持するアクセスモジュールと、を備え、
前記アクセスモジュールは、
前記アクセスパラメータのパラメータ値と予め保存した安全な基地局のアクセスパラメータ基準値との間のマッチング度に基づいて、前記第１基地局に対応する安全係数を特定して、前記安全係数が所定の閾値未満であると、前記第１基地局にアクセスし、前記安全係数が前記所定の閾値未満でないと、現在の基地局のアクセスを維持する
ことを特徴とする基地局アクセス装置。
【請求項６】
前記アクセスモジュールは、
予め保存した安全な基地局の各アクセスパラメータのアクセスパラメータ基準値を取得する取得サブモジュールと、
前記システムメッセージ内に付加された各アクセスパラメータのパラメータ値と該当するアクセスパラメータ基準値との間のマッチング度をそれぞれ特定する第１特定サブモジュールと、
予め保存したマッチング度と安全係数の調整値との間の対応関係、及び、前記各アクセスパラメータのパラメータ値と該当するアクセスパラメータ基準値との間のマッチング度に基づいて、前記各アクセスパラメータに対応する安全係数の調整値をそれぞれ特定する第２特定サブモジュールと、
予め保存した安全係数の初期値と各アクセスパラメータに対応する安全係数の調整値との合計値を特定することにより、前記第１基地局に対応する安全係数を得る第３特定サブモジュールと
を備えることを特徴とする請求項５に記載の基地局アクセス装置。
【請求項７】
特定モジュールは、
現在検出された予め保存した使用禁止基地局リスト以外の少なくとも一つの基地局の信号強度の中から、信号強度が最大の第１基地局を特定し、
前記アクセスパラメータのパラメータ値が前記アクセスパラメータ値の条件を満たさないと、前記第１基地局を使用禁止基地局リスト中に追加する追加モジュール
をさらに備えることを特徴とする請求項５に記載の基地局アクセス装置。
【請求項８】
前記アクセスパラメータは、最小アクセスレベル、再選択オフセット情報、更新期間、ＧＰＲＳサポート状況、及び、ＬＡＣ識別子の中の少なくとも一つ以上を含む
ことを特徴とする請求項５に記載の基地局アクセス装置。
【請求項９】
プロセッサと、
前記プロセッサが実行可能な命令を記憶するためのメモリと
を備え、
前記プロセッサは、
現在検出された少なくとも一つの基地局の信号強度の中から、信号強度が最大の第１基地局を特定し、
前記第１基地局により送信される前記第１基地局のアクセスパラメータのパラメータ値が付加されたシステムメッセージを受信し、
前記アクセスパラメータのパラメータ値が予め設定した安全な基地局のアクセスパラメータ値の条件を満たすと、前記第１基地局にアクセスし、前記アクセスパラメータのパラメータ値が前記アクセスパラメータ値の条件を満たさないと、現在の基地局のアクセスを維持し、
前記アクセスパラメータのパラメータ値と予め保存した安全な基地局のアクセスパラメータ基準値との間のマッチング度に基づいて、前記第１基地局に対応する安全係数を特定して、前記安全係数が所定の閾値未満であると、前記第１基地局にアクセスし、前記安全係数が前記所定の閾値未満でないと、現在の基地局のアクセスを維持する
ように構成されることを特徴とする基地局アクセス装置。
【請求項１０】
プロセッサに実行されることにより、請求項１から請求項４のいずれか１項に記載の基地局アクセス方法を実現することを特徴とするプログラム。
【請求項１１】
請求項１０に記載のプログラムが記録された記録媒体。
【発明の詳細な説明】
【技術分野】
【０００１】
本発明は、コンピュータ技術分野に関し、特に、基地局アクセス方法、装置、プログラム及び記録媒体に関する。
【背景技術】
【０００２】
モバイル端末は、運行される過程において、現在アクセスできる複数の基地局の信号強度を定期的に検出して、現在アクセスしている基地局の信号強度が複数の基地局の信号強度の中で最大値であるか否かを判断する。最大値であると、モバイル端末は、現在の基地局のアクセスを維持し、最大値ではないと、モバイル端末は、再び、アクセス処理を行って、信号強度が最大の基地局にアクセスする。このようにして、モバイル端末は、信号強度が最大の基地局にアクセスして、モバイル端末の正常な通信を保証する。
【０００３】
しかし、犯罪者は、ニセの基地局を偽造して、当該ニセの基地局を運行させて、一定の範囲内で、ニセの基地局の信号強度が真の基地局の信号強度より、高くなるようにすることができる。すると、モバイル端末は、上記の処理によって、ニセの基地局にアクセスすることになる。ニセの基地局は、アクセスするモバイル端末に、送信電話番号が銀行或いは電気通信事業者の電話番号と同一である詐欺テキストメッセージを送信して、違法な利益を求める。
【０００４】
発明者は、本発明を実現する過程において、少なくとも以下の問題が存在することを発見した。
【０００５】
モバイル端末は、上記の処理によって、ニセの基地局にアクセスして、ニセの基地局が送信する送信電話番号が銀行の電話番号或いは電気通信事業者の電話番号である詐欺テキストメッセージを受信するようになって、容易に騙される。
【発明の概要】
【０００６】
本発明は、関連技術に存在する問題を解決するために、基地局アクセス方法、装置、プログラム及び記録媒体を提供する。
【０００７】
本発明の実施例に係る第１の態様によると、基地局アクセス方法を提供する。
【０００８】
当該方法は、
現在検出された少なくとも一つの基地局の信号強度の中から、信号強度が最大の第１基地局を特定するステップと、
前記第１基地局により送信される前記第１基地局のアクセスパラメータのパラメータ値が付加されたシステムメッセージを受信するステップと、
前記アクセスパラメータのパラメータ値が予め設定した安全な基地局のアクセスパラメータ値の条件を満たすと、前記第１基地局にアクセスし、前記アクセスパラメータのパラメータ値が前記アクセスパラメータ値の条件を満たさないと、現在の基地局のアクセスを維持するステップと
を含む。
【０００９】
オプションとして、
前記アクセスパラメータのパラメータ値が予め設定した安全な基地局のアクセスパラメータ値の条件を満たすと、前記第１基地局にアクセスし、前記アクセスパラメータのパラメータ値が前記アクセスパラメータ値の条件を満たさないと、現在の基地局のアクセスを維持するステップは、
前記アクセスパラメータのパラメータ値と予め保存した安全な基地局のアクセスパラメータ基準値との間のマッチング度に基づいて、前記第１基地局に対応する安全係数を特定して、前記安全係数が所定の閾値未満であると、前記第１基地局にアクセスし、前記安全係数が前記所定の閾値未満でないと、現在の基地局のアクセスを維持するステップ
を含む。
【００１０】
オプションとして、
前記アクセスパラメータのパラメータ値と予め保存した安全な基地局のアクセスパラメータ基準値との間のマッチング度に基づいて、前記第１基地局に対応する安全係数を特定するステップは、
予め保存した安全な基地局の各アクセスパラメータのアクセスパラメータ基準値を取得するステップと、
前記システムメッセージ内に付加された各アクセスパラメータのパラメータ値と該当するアクセスパラメータ基準値との間のマッチング度をそれぞれ特定するステップと、
予め保存したマッチング度と安全係数の調整値との間の対応関係、及び、前記各アクセスパラメータのパラメータ値と該当するアクセスパラメータ基準値との間のマッチング度に基づいて、前記各アクセスパラメータに対応する安全係数の調整値をそれぞれ特定するステップと、
予め保存した安全係数の初期値と各アクセスパラメータに対応する安全係数の調整値との合計値を特定することにより、前記第１基地局に対応する安全係数を得るステップと
を含む。
【００１１】
オプションとして、
現在検出された少なくとも一つの基地局の信号強度の中から、信号強度が最大の第１基地局を特定するステップは、
現在検出された予め保存した使用禁止基地局リスト以外の少なくとも一つの基地局の信号強度の中から、信号強度が最大の第１基地局を特定するステップ
を含み、
前記アクセスパラメータのパラメータ値が前記アクセスパラメータ値の条件を満たさないと、前記第１基地局を使用禁止基地局リスト中に追加するステップ
をさらに含む。
【００１２】
このようにして、もし、第１基地局のアクセスパラメータのパラメータ値が前記アクセスパラメータ値の条件を満たさないと、端末は、第１基地局により送信されるシステムメッセージを遮断して、第１基地局により送信される詐欺テキストメッセージを受信することを防止して、ユーザが騙されることを防止できる。
【００１３】
オプションとして、
前記アクセスパラメータは、最小アクセスレベル、再選択オフセット情報、更新期間、ＧＰＲＳサポート状況、及び、ＬＡＣ識別子の中の少なくとも一つ以上を含む。
【００１４】
本発明の実施例に係る第２の態様によると、基地局アクセス装置を提供する。
【００１５】
当該装置は、
現在検出された少なくとも一つの基地局の信号強度の中から、信号強度が最大の第１基地局を特定する特定モジュールと、
前記第１基地局により送信される前記第１基地局のアクセスパラメータのパラメータ値が付加されたシステムメッセージを受信する受信モジュールと、
前記アクセスパラメータのパラメータ値が予め設定した安全な基地局のアクセスパラメータ値の条件を満たすと、前記第１基地局にアクセスし、前記アクセスパラメータのパラメータ値が前記アクセスパラメータ値の条件を満たさないと、現在の基地局のアクセスを維持するアクセスモジュールと
を備える。
【００１６】
オプションとして、
前記アクセスモジュールは、
前記アクセスパラメータのパラメータ値と予め保存した安全な基地局のアクセスパラメータ基準値との間のマッチング度に基づいて、前記第１基地局に対応する安全係数を特定して、前記安全係数が所定の閾値未満であると、前記第１基地局にアクセスし、前記安全係数が前記所定の閾値未満でないと、現在の基地局のアクセスを維持する。
【００１７】
オプションとして、
前記アクセスモジュールは、
予め保存した安全な基地局の各アクセスパラメータのアクセスパラメータ基準値を取得する取得サブモジュールと、
前記システムメッセージ内に付加された各アクセスパラメータのパラメータ値と該当するアクセスパラメータ基準値との間のマッチング度をそれぞれ特定する第１特定サブモジュールと、
予め保存したマッチング度と安全係数の調整値との間の対応関係、及び、前記各アクセスパラメータのパラメータ値と該当するアクセスパラメータ基準値との間のマッチング度に基づいて、前記各アクセスパラメータに対応する安全係数の調整値をそれぞれ特定する第２特定サブモジュールと、
予め保存した安全係数の初期値と各アクセスパラメータに対応する安全係数の調整値との合計値を特定することにより、前記第１基地局に対応する安全係数を得る第３特定サブモジュールと
を備える。
【００１８】
オプションとして、
特定モジュールは、
現在検出された予め保存した使用禁止基地局リスト以外の少なくとも一つの基地局の信号強度の中から、信号強度が最大の第１基地局を特定するステップ
を含み、
前記アクセスパラメータのパラメータ値が前記アクセスパラメータ値の条件を満たさないと、前記第１基地局を使用禁止基地局リスト中に追加する追加モジュール
をさらに備える。
【００１９】
オプションとして、
前記アクセスパラメータは、最小アクセスレベル、再選択オフセット情報、更新期間、ＧＰＲＳサポート状況、及び、ＬＡＣ識別子の中の少なくとも一つ以上を含む。
【００２０】
本発明の実施例に係る第３の態様によると、基地局アクセス装置を提供する。
【００２１】
当該装置は、
プロセッサと、
前記プロセッサが実行可能な命令を記憶するためのメモリと
を備え、
前記プロセッサは、
現在検出された少なくとも一つの基地局の信号強度の中から、信号強度が最大の第１基地局を特定し、
前記第１基地局により送信される前記第１基地局のアクセスパラメータのパラメータ値が付加されたシステムメッセージを受信し、
前記アクセスパラメータのパラメータ値が予め設定した安全な基地局のアクセスパラメータ値の条件を満たすと、前記第１基地局にアクセスし、前記アクセスパラメータのパラメータ値が前記アクセスパラメータ値の条件を満たさないと、現在の基地局のアクセスを維持する
ように構成される。
【００２２】
本発明の実施例の第４の態様によると、プログラムを提供し、当該プログラムは、プロセッサに実行されることにより、上記の基地局アクセス方法を実現する。
【００２３】
本発明の実施例の第５の態様によると、記録媒体を提供し、当該記録媒体には、上記プログラムが記録されている。
【００２４】
本発明の実施例が提供する構成の有益な効果は以下のとおりである。
【００２５】
本発明の実施例において、現在検出された少なくとも一つの基地局の信号強度の中から、信号強度が最大の第１基地局を特定し、第１基地局により送信される第１基地局のアクセスパラメータのパラメータ値が付加されたシステムメッセージを受信し、アクセスパラメータのパラメータ値が予め設定した安全な基地局のアクセスパラメータ値の条件を満たすと、第１基地局にアクセスし、アクセスパラメータのパラメータ値が安全な基地局のアクセスパラメータ値の条件を満たさないと、現在の基地局のアクセスを維持する。上記の処理によって、もし、アクセスパラメータのパラメータ値が安全な基地局のアクセスパラメータ値の条件を満たさないと、端末は当該基地局にアクセスしないことになり、端末のニセの基地局へのアクセスを防止して、ニセの基地局が送信する詐欺テキストメッセージの受信を防止して、ユーザが騙されることを防止できる。
【００２６】
以上の統括な記述と以下の細部記述は、ただ例示的なものであり、本発明を制限するものではないと、理解するべきである。
【図面の簡単な説明】
【００２７】
以下の図面は、明細書の一部分として明細書全体を構成することにより、本発明に合致する実施例を例示するとともに、本発明の原理を解釈するためのものである。
【図１】例示的な一実施例に係る基地局アクセス方法を示すフローチャートである。
【図２】例示的な一実施例に係る応用場面を示す模式図である。
【図３】例示的な一実施例に係る基地局アクセス装置を示す模式図である。
【図４】例示的な一実施例に係る基地局アクセス装置を示す模式図である。
【図５】例示的な一実施例に係る基地局アクセス装置を示す模式図である。
【図６】例示的な一実施例に係る端末の構成を示す模式図である。
【００２８】
以上の図面を通じて、本発明の実施例を例示しているが、そのさらに具体的な内容については後述する。これらの図面及び文字記載は、本発明の趣旨の範囲を限定するためのものではなく、特定の実施例を参照して、当業者に本発明のコンセプトを理解させるためのものである。
【発明を実施するための形態】
【００２９】
ここで、例示的な実施例を詳細に説明する。また、説明中の例は、図面に示している。以下の記述において、図面を説明する際に特に説明しない場合、異なる図面中の同一の符号は、同一或いは同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００３０】
本発明の例示的な一実施例は、基地局アクセス方法を提供する。当該方法は、端末に用いられる。ここで、端末は、携帯電話、タブレットＰＣ、等のようなモバイル端末であってもよい。当該端末は、送受信ユニット、プロセッサ及びメモリを含んでもよい。ここで、送受信ユニットは、基地局が送信する信号を検出し、また、基地局が送信する第１基地局のアクセスパラメータのパラメータ値が付加されたシステムメッセージを受信する。プロセッサは、信号強度が最大の第１基地局を特定して、送受信ユニットが受信したアクセスパラメータのパラメータ値が予め設定した安全な基地局のアクセスパラメータ値の条件を満たすか否かを判断して、満たすと、第１基地局にアクセスし、満たさないと、現在の基地局のアクセスを維持する。メモリは、上記の安全な基地局のアクセスパラメータ値の条件、及び、上記の過程で受信したデータ及び生成されたデータを保存する。
【００３１】
図１に示したように、当該方法の流れは、以下のステップを含んでもよい。
【００３２】
ステップ１０１において、現在検出された少なくとも一つの基地局の信号強度の中から、信号強度が最大の第１基地局を特定する。
【００３３】
実施する際に、端末は、運行されている過程において、周囲の基地局が送信する信号を検出し、検出された各基地局の信号の信号強度を特定する。当該基地局の数は、一つ以上であってもよい。端末は、周囲の基地局の信号強度をリアルタイムに検出するか、或いは、所定の検出期間をあけて検出してもよい。端末は、検出された複数の基地局の信号強度の中から、最大の信号強度を特定し、さらに、当該信号強度に対応される基地局（即ち、第１基地局である）を特定して、後続の処理を行う。
【００３４】
オプションとして、端末には、使用禁止基地局リストが設定されていてもよい。この場合、ステップ１０１の処理の過程は、現在検出された予め保存した使用禁止基地局リスト以外の少なくとも一つの基地局の信号強度の中から、信号強度が最大の第１基地局を特定してもよい。
【００３５】
実施する際に、端末には、使用禁止基地局リストが予め保存されていてもよい。使用禁止基地局リスト中には、不安全な基地局の識別子が保存されている。端末は、周囲の基地局が送信する信号を検出した後、これら基地局と、使用禁止基地局リスト中に保存された基地局とを、比較して、これら基地局の中に使用禁止基地局リスト中の基地局が存在するか否かを判定して、存在すれば、現在検出された基地局の中から、当該基地局リスト以外の基地局を特定し、さらに、これら基地局の中から、信号強度が最大の第１基地局を特定する。もし、存在しなければ、現在検出された基地局すべての信号強度の中から、信号強度が最大の第１基地局を特定する。
【００３６】
ステップ１０２において、第１基地局により送信される第１基地局のアクセスパラメータのパラメータ値が付加されたシステムメッセージを受信する。
【００３７】
実施する際に、互いに異なる基地局が送信する信号の帯域は、互いに異なる。端末は、信号強度が最大の第１基地局を特定した後、ローカルの送受信ユニットの受信帯域を、第１基地局の帯域に調整する。このようにして、端末は、第１基地局により送信されるシステムメッセージを受信する。当該システムメッセージ内には、ＳＩＢ１（Ｓｙｓｔｅｍ Ｉｎｆｏｒｍａｔｉｏｎ Ｔｙｐｅ１、システムメッセージタイプ１）、ＳＩＢ２（Ｓｙｓｔｅｍ Ｉｎｆｏｒｍａｔｉｏｎ Ｔｙｐｅ２、システムメッセージタイプ２）、ＳＩＢ３（Ｓｙｓｔｅｍ Ｉｎｆｏｒｍａｔｉｏｎ Ｔｙｐｅ３、システムメッセージタイプ３）、等のような複数の種類のパラメータが付加されている。本実施例においては、例えば、最小アクセスレベル、再選択オフセット情報（ｒｅｓｅｌｅｃｔｅｄ ｏｆｆｓｅｔ ｉｎｆｏｒｍａｔｉｏｎ）、更新期間、ＧＰＲＳ（Ｇｅｎｅｒａｌ Ｐａｃｋｅｔ Ｒａｄｉｏ Ｓｅｒｖｉｃｅ）サポート状況、及び、ＬＡＣ（ｌｏｃａｔｉｏｎ ａｒｅａ ｃｏｄｅ）識別子、等のようなＳＩＢ３中に含まれているパラメータを、主に扱う。端末は、第１基地局により送信される第１基地局のアクセスパラメータのパラメータ値が付加されたシステムメッセージを受信する。ここで、アクセスパラメータは、最小アクセスレベル、再選択オフセット情報、更新期間、ＧＰＲＳサポート状況、及び、ＬＡＣ識別子の中の少なくとも一つ以上を含む。アクセスパラメータは、システムメッセージ内の他のパラメータをさらに含んでもよく、本実施例ではこれに対して限定しない。端末は、第１基地局により送信されるシステムメッセージを受信した後、システムメッセージを解析して、当該システムメッセージ内のアクセスパラメータを取得して、後続の処理を行う。
【００３８】
ステップ１０３において、アクセスパラメータのパラメータ値が予め設定した安全な基地局のアクセスパラメータ値の条件を満たすと、第１基地局にアクセスし、アクセスパラメータのパラメータ値がアクセスパラメータ値の条件を満たさないと、現在の基地局のアクセスを維持する。
【００３９】
実施する際に、端末は、システムメッセージ内のアクセスパラメータのパラメータ値を取得した後、アクセスパラメータのパラメータ値が予め設定した安全な基地局のアクセスパラメータ値の条件を満たすか否かを判定し、アクセスパラメータのパラメータ値が予め設定した安全な基地局のアクセスパラメータ値の条件を満たすと判定されると、第１基地局にアクセスし、アクセスパラメータのパラメータ値がアクセスパラメータ値の条件を満たさないと判定されると、現在の基地局のアクセスを維持する。例えば、端末には、安全な基地局のアクセスパラメータ値の範囲が予め保存されており、受信したアクセスパラメータのパラメータ値が当該アクセスパラメータ値の範囲内に存在するか否かを判定し、当該アクセスパラメータ値の範囲内に存在すれば、アクセスパラメータのパラメータ値が予め設定した安全な基地局のアクセスパラメータ値の条件を満たすと判定し、存在しなければ、アクセスパラメータのパラメータ値が予め設定した安全な基地局のアクセスパラメータ値の条件を満たさないと判定する。上記のアクセスパラメータが複数ある場合は、各アクセスパラメータに対応するアクセスパラメータ値の範囲を保存して、受信した各アクセスパラメータのパラメータ値が該当するアクセスパラメータ値の範囲内に存在するか否かを、それぞれ判断する。例えば、最小アクセスレベルに対応するアクセスパラメータ値の範囲が５０ｄｂ〜１２０ｄｂである場合、受信した最小アクセスレベルが当該範囲内にないと、受信した最小アクセスレベルがアクセスパラメータ値の条件を満たさないと判定する。
【００４０】
オプションとして、第１基地局に対応する安全係数に基づいて、第１基地局にアクセスするか否かを判定してもよい。この場合、ステップ１０３の処理過程は、アクセスパラメータのパラメータ値と、予め保存した安全な基地局のアクセスパラメータ基準値との間のマッチング度に基づいて、第１基地局に対応する安全係数を特定してもよい。安全係数が所定の閾値未満であると、第１基地局にアクセスし、安全係数が所定の閾値未満ではないと、現在の基地局のアクセスを維持する。
【００４１】
実施する際に、端末は、アクセスパラメータのパラメータ値と、予め保存した安全な基地局のアクセスパラメータ基準値との間のマッチング度を特定して、当該マッチング度に基づいて第１基地局に対応する安全係数を特定してもよい。例えば、端末は、アクセスパラメータが複数ある場合には、各アクセスパラメータとそれに対応されるアクセスパラメータ基準値とのマッチング度をそれぞれ判断し、該当するマッチング度が所定のマッチング条件を満たさないアクセスパラメータの数を特定してもよい。端末は、所定のマッチング条件を満たさないアクセスパラメータの数と安全係数との間の対応関係を予め保存して、特定された数に基づいて、該当する安全係数を特定してもよい。ここで、より大きい数は、より大きい安全係数に対応される。端末は、第１基地局に対応する安全係数を特定した後、当該安全係数と予め保存した所定の閾値とを比較して、当該安全係数が所定の閾値未満であると、第１基地局にアクセスし、当該安全係数が所定の閾値未満ではないと、現在の基地局のアクセスを維持してもよい。
【００４２】
オプションとして、マッチング度、及び、安全係数の初期値に基づいて、第１基地局の安全係数を特定してもよい。この場合の処理過程は、予め保存した安全な基地局の各アクセスパラメータのアクセスパラメータ基準値を取得し、システムメッセージ内に付加された各アクセスパラメータのパラメータ値と該当するアクセスパラメータ基準値との間のマッチング度をそれぞれ特定し、予め保存したマッチング度と安全係数の調整値との間の対応関係、及び、各アクセスパラメータのパラメータ値と該当するアクセスパラメータ基準値との間のマッチング度に基づいて、各アクセスパラメータに対応する安全係数の調整値をそれぞれ特定し、予め保存した安全係数の初期値と各アクセスパラメータに対応する安全係数の調整値との合計値を特定することにより、第１基地局に対応する安全係数を得てもよい。
【００４３】
実施する際に、端末は、アクセスパラメータが複数ある場合には、安全な基地局の各アクセスパラメータのアクセスパラメータ基準値を予め保存してもよい。端末は、各アクセスパラメータのパラメータ値と該当するアクセスパラメータ基準値との間のマッチング度をそれぞれ特定した後、予め保存したマッチング度と安全係数の調整値との間の対応関係、及び、特定されたマッチング度に基づいて、各アクセスパラメータに対応する安全係数の調整値をそれぞれ特定してもよい。
【００４４】
端末がアクセスパラメータのパラメータ値とアクセスパラメータ基準値との間のマッチング度を特定する方法には、いろんな方法がある。本実施例は、幾つかの特定方式を提供する。以下の幾つかの方法は、単独に使用してもよいし、アクセスパラメータに基づいて組み合わせて使用してもよい。
【００４５】
方法１
端末は、受信したパラメータ値とアクセスパラメータ基準値とが同一であるか否かを判断し、同一であると、アクセスパラメータのパラメータ値と予め保存した安全な基地局のアクセスパラメータ基準値との間のマッチング度が、第１マッチング度（即ち、それらはマッチングされる）であると判定し、同一ではないと、第２マッチング度（即ち、それらはマッチングされない）であると判定してもよい。例えば、ＧＰＲＳサポートの場合は、アクセスパラメータ基準値がサポートであってもよい。この場合、端末は、受信したＧＰＲＳサポート状況のパラメータ値がサポートであるか否かを判断してもよい。また、例えば、ＬＡＣ識別子の場合は、アクセスパラメータ基準値は、現在アクセスの基地局が送信するＬＡＣ識別子であってもよい。この場合、端末は、受信したＬＡＣ識別子と予め保存したＬＡＣ識別子とが同一であるか否かを判定してもよい。
【００４６】
方法２
端末は、受信したパラメータ値とアクセスパラメータ基準値との間の差分に基づいて、それらの間のマッチング度を特定してもよい。例えば、更新期間の場合は、アクセスパラメータ基準値は、１ｈであってもよい。受信した更新期間が当該アクセスパラメータ基準値未満であり、且つ、差分が例えば３０ｍｉｎのような予め設定した第１差分閾値以上であると、受信した更新期間と該当するアクセスパラメータ基準値との間のマッチング度が、第２マッチング度（即ち、それらはマッチングされない）であると判定してもよい。また、例えば、再選択オフセット情報の場合は、アクセスパラメータ基準値は、５５ｍであってもよい。受信した再選択オフセット情報がアクセスパラメータ基準値以上であると、即ち、それらの間の差分が正（＋）であると、受信した再選択オフセット情報と再選択オフセット情報に対応するアクセスパラメータ基準値との間のマッチング度が第２マッチング度（即ち、それらはマッチングされない）であると判定してもよい。
【００４７】
また、各アクセスパラメータに対して、複数の差分閾値を設定してもよい。端末は、特定された差分及び複数の差分閾値に基づいて、マッチングされないレベルを特定してもよい。マッチングされないレベルが大きいほど、該当する安全係数の調整値も大きく、マッチングされないレベルが小さいほど、該当する安全係数の調整値も小さい。例えば、最小アクセスレベルに対応する基準値が５０ｄｂであり、差分閾値が０及び２０ｄｂである場合、受信した最小アクセスレベルが５０ｄｂ未満であり、且つ、５０ｄｂとの差分の絶対値が２０ｄｂ未満であると、それらの間のマッチング度が第３マッチング度（即ち、マッチングされないレベルが比較的低い）であると判定し、また、上記の対応関係によって、該当する安全係数の調整値を３と特定してもよい。受信した最小アクセスレベルが５０ｄｂ未満であり、且つ、５０ｄｂとの差分の絶対値が２０ｄｂ以上である場合、それらの間のマッチング度が第四マッチング度（即ち、マッチングされないレベルが比較的高い）であると特定し、また、上記の対応関係によって、該当する安全係数の調整値を５と特定してもよい。
【００４８】
方法３
端末は、さらに、受信したアクセスパラメータの中に、予め保存した安全な基地局のアクセスパラメータと同一なアクセスパラメータが存在するか否かを判定してもよい。例えば、「システム間の設定情報再選択の指示（ｉｎｔｅｒ−ｓｙｓｔｅｍ ｒｅｓｅｌｅｃｔｅｄ ｃｏｎｆｉｇｕｒａｔｉｏｎ ｉｎｆｏｒｍａｔｉｏｎ ｉｎｓｔｒｕｃｔｉｏｎ）」であるアクセスパラメータの場合は、安全な基地局のアクセスパラメータには、一般的に、当該パラメータを含まれているため、受信したアクセスパラメータの中に、当該パラメータが含まれていないと、それらはマッチングされないと判定してもよい。
【００４９】
端末は、各アクセスパラメータに対応する安全係数の調整値を特定した後、予め保存した安全係数の初期値と、各アクセスパラメータに対応する安全係数の調整値とを、合計して、第１基地局に対応する安全係数を得てもよい。
【００５０】
例えば、ＧＰＲＳサポート状況に対応する基準値がサポートである場合、受信したＧＰＲＳサポート状況がサポートであると、該当する重み係数の調整値を０と特定し、受信したＧＰＲＳサポート状況がサポートしないであると、該当する重み係数の調整値を５と特定してもよい。更新期間に対応する基準値が１ｈである場合、受信した更新期間が当該アクセスパラメータ基準値未満であり、且つ、差分が３０ｍｉｎ以上であると、該当する重み係数の調整値を５と特定してもよい。システム間の設定情報再選択の指示の場合、受信したシステムメッセージ内に、当該システム間の設定情報再選択の指示が含まれていないと、該当する重み係数の調整値を５と特定してもよい。なお、安全係数の初期値を５と設定してもよい。この場合、受信した最小アクセスレベルが１０ｄｂであり、ＧＰＲＳサポート状況がサポートしないであり、更新期間が１０ｍｉｎであると、第１安全係数の調整値を５+５+５+５=２０と特定して、第１基地局に対応する安全係数を５+２０=２５と特定してもよい。
【００５１】
端末は、第１基地局に対応する安全係数を特定した後、当該安全係数と予め保存した所定の閾値とを比較して、当該安全係数が所定の閾値未満であると、第１基地局にアクセスし、当該安全係数が所定の閾値未満ではないと、現在の基地局のアクセスを維持してもよい。
【００５２】
オプションとして、端末アクセスパラメータのパラメータ値がアクセスパラメータ値の条件を満たさないと判定されると、第１基地局を使用禁止基地局リスト中に追加して、端末が第１基地局により送信されるメッセージを再び受信することを防止できる。
【００５３】
実施する際に、端末に、使用禁止基地局リストが予め保存されていてもよく、使用禁止基地局リスト中には、不安全な基地局の識別子が保存されていてもよい。端末は、使用禁止基地局リスト中に含まれた基地局に対して、これら基地局が送信するメッセージを受信しなくてもよい。端末は、第１基地局のアクセスパラメータのパラメータ値がアクセスパラメータ値の条件を満たさないと判定すると、第１基地局が不安全な基地局であるおそれがあり、第１基地局を使用禁止基地局リスト中に追加してもよい。このようにして、端末は、その後、第１基地局により送信されるシステムメッセージを受信しなくなり、第１基地局にアクセスもしなくなって、ユーザのセキュリティを改善できる。
【００５４】
本発明の実施例において、現在検出された少なくとも一つの基地局の信号強度の中から、信号強度が最大の第１基地局を特定し、第１基地局により送信される第１基地局のアクセスパラメータのパラメータ値が付加されたシステムメッセージを受信し、アクセスパラメータのパラメータ値が予め設定した安全な基地局のアクセスパラメータ値の条件を満たすと、第１基地局にアクセスし、アクセスパラメータのパラメータ値が安全な基地局のアクセスパラメータ値の条件を満たさないと、現在の基地局のアクセスを維持する。上記の処理によって、もし、アクセスパラメータのパラメータ値が安全な基地局のアクセスパラメータ値の条件を満たさないと、端末は当該基地局にアクセスしないことになり、端末のニセの基地局へのアクセスを防止して、ニセの基地局が送信する詐欺テキストメッセージの受信を防止して、ユーザが騙されることを防止できる。
【００５５】
本発明の例示的な一実施例は、基地局アクセス装置を提供する。図３に示したように、当該装置は、特定モジュール３１０、受信モジュール３２０及びアクセスモジュール３３０を備える。
【００５６】
特定モジュール３１０は、現在検出された少なくとも一つの基地局の信号強度の中から、信号強度が最大の第１基地局を特定する。
【００５７】
受信モジュール３２０は、前記第１基地局により送信される前記第１基地局のアクセスパラメータのパラメータ値が付加されたシステムメッセージを受信する。
【００５８】
アクセスモジュール３３０は、前記アクセスパラメータのパラメータ値が予め設定した安全な基地局のアクセスパラメータ値の条件を満たすと、前記第１基地局にアクセスし、前記アクセスパラメータのパラメータ値が前記アクセスパラメータ値の条件を満たさないと、現在の基地局のアクセスを維持する。
【００５９】
オプションとして、前記アクセスモジュール３３０は、前記アクセスパラメータのパラメータ値と予め保存した安全な基地局のアクセスパラメータ基準値との間のマッチング度に基づいて、前記第１基地局に対応する安全係数を特定して、前記安全係数が所定の閾値未満であると、前記第１基地局にアクセスし、前記安全係数が前記所定の閾値未満でないと、現在の基地局のアクセスを維持する。
【００６０】
オプションとして、図４に示したように、前記アクセスモジュール３３０は、取得サブモジュール３３１、第１特定サブモジュール３３２、第２特定サブモジュール３３３及び第３特定サブモジュール３３４を備える。
【００６１】
取得サブモジュール３３１は、予め保存した安全な基地局の各アクセスパラメータのアクセスパラメータ基準値を取得する。
【００６２】
第１特定サブモジュール３３２は、前記システムメッセージ内に付加された各アクセスパラメータのパラメータ値と該当するアクセスパラメータ基準値との間のマッチング度をそれぞれ特定する。
【００６３】
第２特定サブモジュール３３３は、予め保存したマッチング度と安全係数の調整値との間の対応関係、及び、前記各アクセスパラメータのパラメータ値と該当するアクセスパラメータ基準値との間のマッチング度に基づいて、前記各アクセスパラメータに対応する安全係数の調整値をそれぞれ特定する。
【００６４】
第３特定サブモジュール３３４は、予め保存した安全係数の初期値と各アクセスパラメータに対応する安全係数の調整値との合計値を特定することにより、前記第１基地局に対応する安全係数を得る。
【００６５】
オプションとして、図５に示したように、特定モジュールは、現在検出された予め保存した使用禁止基地局リスト以外の少なくとも一つの基地局の信号強度の中から、信号強度が最大の第１基地局を特定し、前記装置は、前記アクセスパラメータのパラメータ値が前記アクセスパラメータ値の条件を満たさないと、前記第１基地局を使用禁止基地局リスト中に追加する追加モジュール３４０をさらに備える。
【００６６】
オプションとして、前記アクセスパラメータは、最小アクセスレベル、再選択オフセット情報、更新期間、ＧＰＲＳサポート状況、及び、ＬＡＣ識別子の中の少なくとも一つ以上を含む。
【００６７】
上記の実施例の装置について、その各モジュールが実行する操作の具体的な形態は既に当該方法に関する実施例において詳細に説明したため、ここでは詳細に説明しない。
【００６８】
本発明の実施例において、現在検出された少なくとも一つの基地局の信号強度の中から、信号強度が最大の第１基地局を特定し、第１基地局により送信される第１基地局のアクセスパラメータのパラメータ値が付加されたシステムメッセージを受信し、アクセスパラメータのパラメータ値が予め設定した安全な基地局のアクセスパラメータ値の条件を満たすと、第１基地局にアクセスし、アクセスパラメータのパラメータ値が安全な基地局のアクセスパラメータ値の条件を満たさないと、現在の基地局のアクセスを維持する。上記の処理によって、もし、アクセスパラメータのパラメータ値が安全な基地局のアクセスパラメータ値の条件を満たさないと、端末は当該基地局にアクセスしないことになり、端末のニセの基地局へのアクセスを防止して、ニセの基地局が送信する詐欺テキストメッセージの受信を防止して、ユーザが騙されることを防止できる。
【００６９】
上記の実施例によって提供する基地局アクセス装置が基地局にアクセスする時に、上記の各機能モジュールに割り当てて実現する例を挙げて説明したが、実際に実現する時には、必要によって上記の機能を互いに異なる機能モジュールに割り当てて実現してもよく、即ち、デバイスの内部の構成を互いに異なる機能モジュールに割り当てて、上記に記載の全部、或いは、一部の機能を実現してもよいことを、説明する必要がある。また、上記の実施例によって提供する基地局アクセス装置と基地局アクセス方法の実施例は、同一な思想に属し、その具体的な実現過程は、方法の実施例を参照すればよく、ここでは繰り返して詳細に説明しない。
【００７０】
本発明の例示的な一実施例は、さらに、端末の構成を示す模式図を提供する。当該端末は、携帯電話、或いは、タブレットＰＣ、等であってもよい。
【００７１】
図６を参照して、端末８００は、プロセスアセンブリ８０２、メモリ８０４、電源アセンブリ８０６、マルチメディアアセンブリ８０８、オーディオアセンブリ８１０、入出力（Ｉ／Ｏ）インターフェイス８１２、センサアセンブリ８１４、及び通信アセンブリ８１６のような一つ以上のアセンブリを含んでよい。
【００７２】
プロセスアセンブリ８０２は、一般的には端末８００の全体の動作を制御するものであり、例えば、表示、電話呼び出し、データ通信、カメラ動作、及び記録動作と関連する動作を制御する。プロセスアセンブリ８０２は、一つ以上のプロセッサ８２０を含み、これらによって命令を実行することにより、上記の方法の全部、或いは一部のステップを実現するようにしてもよい。なお、プロセスアセンブリ８０２は、一つ以上のモジュールを含み、これらによってプロセスアセンブリ８０２と他のアセンブリとの間のインタラクションを容易にするようにしてもよい。例えば、プロセスアセンブリ８０２は、マルチメディアモジュールを含み、これらによってマルチメディアアセンブリ８０８とプロセスアセンブリ８０２との間のインタラクションを容易にするようにしてもよい。
【００７３】
メモリ８０４は、各種類のデータを記憶することにより端末８００の動作を支援するように構成される。これらのデータの例は、端末８００において動作するいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ ＯｎｌｙＭｅｍｏｒｙ）、磁気メモリ、フラッシュメモリ、磁気ディスク、或いは光ディスクである。
【００７４】
電源アセンブリ８０６は、端末８００の多様なアセンブリに電力を供給する。電源アセンブリ８０６は、電源管理システム、一つ以上の電源、及び端末８００のための電力の生成、管理及び割り当てに関連付けられている他のアセンブリを含んでもよい。
【００７５】
マルチメディアアセンブリ８０８は、前記端末８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或いはスワイプの動作の境界だけでなく、前記のタッチ、或いはスワイプ操作に係る継続時間及び圧力も検出できる。上記の実施例において、マルチメディアアセンブリ８０８は、一つのフロントカメラ、及び／又はリアカメラを含む。端末８００が、例えば撮影モード、或いはビデオモード等の動作モードにある場合、フロントカメラ、及び／又はリアカメラは外部からマルチメディアデータを受信できる。フロントカメラとリアカメラのそれぞれは、一つの固定型の光レンズ系、或いは可変焦点距離と光学ズーム機能を有するものであってもよい。
【００７６】
オーディオアセンブリ８１０は、オーディオ信号を入出力するように構成されてもよい。例えば、オーディオアセンブリ８１０は、一つのマイク（ＭＩＣ）を含み、端末８００が、例えば呼出しモード、記録モード、及び音声認識モード等の動作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【００７７】
Ｉ／Ｏインターフェイス８１２は、プロセスアセンブリ８０２と周辺インターフェイスモジュールとの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【００７８】
センサアセンブリ８１４は、端末８００に各種の状態に対する評価を提供するための一つ以上のセンサを含む。例えば、センサアセンブリ８１４は、端末８００のＯＮ／ＯＦＦ状態、端末８００のディスプレイとキーパッドのようなアセンブリの相対的な位置決めを検出できる。また、例えば、センサアセンブリ８１４は、端末８００、或いは端末８００の一つのアセンブリの位置変更、ユーザと端末８００とが接触しているか否か、端末８００の方位、又は加速／減速、端末８００の温度の変化を検出できる。センサアセンブリ８１４は、何れの物理的接触もない状態にて付近の物体の存在を検出するための近接センサを含んでもよい。センサアセンブリ８１４は、撮影アプリケーションに適用するため、ＣＭＯＳ、又はＣＣＤ画像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【００７９】
通信アセンブリ８１６は、端末８００と他の機器との間に有線、又は利便性のよい形態の通信を提供する。端末８００は、例えばＷｉＦｉ（登録商標）、２Ｇ、３Ｇ、或いはこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を可能にする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【００８０】
例示的な実施例において、端末８００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【００８１】
例示的な実施例において、さらに、命令を含むコンピュータ読取り可能な非一時的な記録媒体、例えば命令を含むメモリ８０４を提供しており、端末８００のプロセッサ８２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【００８２】
コンピュータ読取り可能な非一時的な記録媒体は、当該記録媒体中の命令が端末のプロセッサによって実行される際に、端末に、上記の方法を実行させる。
【００８３】
当該方法は、
現在検出された少なくとも一つの基地局の信号強度の中から、信号強度が最大の第１基地局を特定するステップと、
前記第１基地局により送信される前記第１基地局のアクセスパラメータのパラメータ値が付加されたシステムメッセージを受信するステップと、
前記アクセスパラメータのパラメータ値が予め設定した安全な基地局のアクセスパラメータ値の条件を満たすと、前記第１基地局にアクセスし、前記アクセスパラメータのパラメータ値が前記アクセスパラメータ値の条件を満たさないと、現在の基地局のアクセスを維持するステップと
を含む。
【００８４】
オプションとして、
前記アクセスパラメータのパラメータ値が予め設定した安全な基地局のアクセスパラメータ値の条件を満たすと、前記第１基地局にアクセスし、前記アクセスパラメータのパラメータ値が前記アクセスパラメータ値の条件を満たさないと、現在の基地局のアクセスを維持するステップは、
前記アクセスパラメータのパラメータ値と予め保存した安全な基地局のアクセスパラメータ基準値との間のマッチング度に基づいて、前記第１基地局に対応する安全係数を特定して、前記安全係数が所定の閾値未満であると、前記第１基地局にアクセスし、前記安全係数が前記所定の閾値未満でないと、現在の基地局のアクセスを維持するステップ
を含む。
【００８５】
オプションとして、
前記アクセスパラメータのパラメータ値と予め保存した安全な基地局のアクセスパラメータ基準値との間のマッチング度に基づいて、前記第１基地局に対応する安全係数を特定するステップは、
予め保存した安全な基地局の各アクセスパラメータのアクセスパラメータ基準値を取得するステップと、
前記システムメッセージ内に付加された各アクセスパラメータのパラメータ値と該当するアクセスパラメータ基準値との間のマッチング度をそれぞれ特定するステップと、
予め保存したマッチング度と安全係数の調整値との間の対応関係、及び、前記各アクセスパラメータのパラメータ値と該当するアクセスパラメータ基準値との間のマッチング度に基づいて、前記各アクセスパラメータに対応する安全係数の調整値をそれぞれ特定するステップと、
予め保存した安全係数の初期値と各アクセスパラメータに対応する安全係数の調整値との合計値を特定することにより、前記第１基地局に対応する安全係数を得るステップと
を含む。
【００８６】
オプションとして、
現在検出された少なくとも一つの基地局の信号強度の中から、信号強度が最大の第１基地局を特定するステップは、
現在検出された予め保存した使用禁止基地局リスト以外の少なくとも一つの基地局の信号強度の中から、信号強度が最大の第１基地局を特定するステップ
を含み、
当該方法は、
前記アクセスパラメータのパラメータ値が前記アクセスパラメータ値の条件を満たさないと、前記第１基地局を使用禁止基地局リスト中に追加するステップ
をさらに含む。
【００８７】
オプションとして、
前記アクセスパラメータは、最小アクセスレベル、再選択オフセット情報、更新期間、ＧＰＲＳサポート状況、及び、ＬＡＣ識別子の中の少なくとも一つ以上を含む。
【００８８】
本発明の実施例において、現在検出された少なくとも一つの基地局の信号強度の中から、信号強度が最大の第１基地局を特定し、第１基地局により送信される第１基地局のアクセスパラメータのパラメータ値が付加されたシステムメッセージを受信し、アクセスパラメータのパラメータ値が予め設定した安全な基地局のアクセスパラメータ値の条件を満たすと、第１基地局にアクセスし、アクセスパラメータのパラメータ値が安全な基地局のアクセスパラメータ値の条件を満たさないと、現在の基地局のアクセスを維持する。上記の処理によって、もし、アクセスパラメータのパラメータ値が安全な基地局のアクセスパラメータ値の条件を満たさないと、端末は当該基地局にアクセスしないことになり、端末のニセの基地局へのアクセスを防止して、ニセの基地局が送信する詐欺テキストメッセージの受信を防止して、ユーザが騙されることを防止できる。
【００８９】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【００９０】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【００９１】
本願は、出願番号がＣＮ２０１６１０３４１８９７.３であって、出願日が２０１６年５月２０日である中国特許出願に基づいて優先権を主張し、当該中国特許出願のすべての内容を援用する。
【図１】
0006429896.tif 000002
【図２】
0006429896.tif 000003
【図３】
0006429896.tif 000004
【図４】
0006429896.tif 000005
【図５】
0006429896.tif 000006
【図６】
0006429896.tif 000007